(57)【要約】  ＯＦＤＭ方式（ＭＩＭＯ−ＯＦＤＭ方式を含む）が用いられているセルラー移動通信において、各基地局にはそれぞれ異なる正則行列を割り当てる。利用者に複数の基地局からの信号が到来している場合の同じ周波数または近いサブキャリア同士の干渉による情報の検出誤り率の増加を防ぐために、ＯＦＤＭ方式における基地局送信側ＩＤＦＴへの入力信号に対して正則行列による座標軸の回転を施して、情報を１個のサブキャリアに偏在させるのではなくＯＦＤＭ信号全体に拡散させることにより、特定のサブキャリアの電波伝搬特性のれっかによる情報検出誤り率の増加を防ぐ。
2017006979.tif 000002
【特許請求の範囲】
【請求項１】
伝送したい情報を複数のサブキャリアに分散させることを特徴とするＯＦＤＭ通信方法。
【請求項２】
各送信機又は送信機の組に、それぞれ異なる単数または複数の正則行列を割り当てることを特徴とする請求項１に記載のＯＦＤＭ通信方法。
【請求項３】
それぞれ異なる正則行列の全部または一部がアダマール行列またはアダマール行列のスカラー倍であることを特徴とする請求項２に記載のＯＦＤＭ通信方法。
【請求項４】
アダマール行列または逆アダマール行列、またはアダマール行列のスカラー倍、または逆アダマール行列のスカラー倍の計算において、バタフライを用いた高速計算法を用いることを特徴とする請求項３に記載のＯＦＤＭ通信方法。
【請求項５】
各セルに割り当てられたそれぞれ異なる単数または複数の正則行列の逆行列を用いて、ＭＩＭＯ―ＯＦＤＭ通信方法に入力すべき信号を座標軸回転にすることを特徴とする請求項２乃至４のいずれか一項に記載のＯＦＤＭ通信方法。
【請求項６】
各利用者は受信側のＯＦＤＭ復調出力に対して行列「Ａi」を用いて座標軸回転をすることを特徴とする請求項１乃至５のいずれか一項に記載のＯＦＤＭ通信方法。
【請求項７】
複数のパケットのための伝送したい情報を担う縦ベクトル、または、ＭＩＭＯ―ＯＦＤＭにおける複数のアンテナのための伝達したい情報を担う縦ベクトル、または、複数のパケットと複数のアンテナのための伝送したい情報を担う縦ベクトルをまとめて、ＩＤＦＴより大きい次数の「Ａi−１」を左から乗ずることを特徴とする請求項１乃至６のいずれか一項に記載のＯＦＤＭ通信方法。
【請求項８】
各送信機又は送信機の組を有する各基地局に、それぞれ異なる単数または複数の正則行列を割り当てることを特徴とする請求項２乃至７のいずれか一項に記載のＯＦＤＭ通信方法。
【請求項９】
縦ベクトルＢに逆ＤＦＴ行列「ＦＮ−１」を乗じて、乗じた結果をガードインターバルで強化して送信するＯＦＤＭ通信方法が用いる移動通信方法において、
伝送したい情報を担う縦ベクトルＢに対して各基地局に割り当てられたそれぞれの異なる正則行列「Ａi」の逆行列「Ａi−１」を乗じて、「Ａi−１Ｂ」を、ＯＦＤＭ通信方法において逆ＤＦＴ行列を乗じられるべき縦ベクトルＣとする移動通信方法であることを特徴とする請求項２乃至８のいずれか一項に記載のＯＦＤＭ通信方法。
【請求項１０】
各基地局に割り当てられるそれぞれ異なる正則行列の全部または一部がアダマール行列またはアダマール行列のスカラー倍である移動通信方法であることを特徴とする請求項２乃至９のいずれか一項に記載のＯＦＤＭ通信方法。
【請求項１１】
アダマール行列または逆アダマール行列、またはアダマール行列のスカラー倍、または逆アダマール行列のスカラー倍の計算において、バタフライを用いた高速計算法を用いることを特徴とする請求項３乃至１０のいずれか一項に記載のＯＦＤＭ通信方法。
【請求項１２】
各セルに割り当てられたそれぞれ異なる単数または複数の正則行列の逆行列を用いて、ＭＩＭＯ―ＯＦＤＭ通信方法に入力すべき信号を座標軸回転にする移動通信方法であることを特徴とする請求項２乃至１１のいずれか一項に記載のＯＦＤＭ通信方法。
【請求項１３】
各利用者は受信側のＯＦＤＭ復調出力に対して行列「Ａi」を用いて座標軸回転をする移動通信方法であることを特徴とする請求項１乃至１２のいずれか一項に記載のＯＦＤＭ通信方法。
【請求項１４】
複数のパケットのための伝送したい情報を担う縦ベクトル、または、ＭＩＭＯ―ＯＦＤＭにおける複数のアンテナのための伝達したい情報を担う縦ベクトル、または、複数のパケットと複数のアンテナのための伝送したい情報を担う縦ベクトルをまとめて、ＩＤＦＴより大きい次数の「Ａi−１」を左から乗ずる移動通信方法であることを特徴とする請求項１乃至１３のいずれか一項に記載のＯＦＤＭ通信方法。
【請求項１５】
利用者の送信側において、ＯＦＤＭ方式における利用者の送信側ＩＤＦＴへの入力信号に対して、それぞれ異なる正則行列を割り当て、送信側の情報に対して、ＩＤＦＴへの入力信号に対して正則行列による座標軸の回転を施して、変調し、周波数変換し、無線送信し、
利用者の受信側において、周波数変換し、復調し、正則行列による座標軸の回転を施して、情報を得ることを特徴とする請求項２乃至１４いずれか一項に記載のＯＦＤＭ通信方法。
【請求項１６】
各送信機又は送信機の組に割り当てる正則行列の全部または一部がアダマール行列、またはアダマール行列のスカラー倍であることを特徴とする請求項２乃至１５のいずれか一項に記載のＯＦＤＭ通信方法。
【請求項１７】
縦ベクトルＢに逆ＤＦＴ行列「ＦＮ−１」を乗じて、乗じた結果をガードインターバルで強化して送信するＯＦＤＭ通信方法において、
伝送したい情報を担う縦ベクトルＢに対して各送信機又は送信機の組に割り当てられたそれぞれの異なる正則行列「Ａi」の逆行列「Ａi−１」を乗じて、「Ａi−１Ｂ」を、ＯＦＤＭ通信方法において逆ＤＦＴ行列を乗じられるべき縦ベクトルＣとすることを、特徴とする請求項２乃至１６のいずれか一項に記載のＯＦＤＭ通信方法。
【発明の詳細な説明】
【技術分野】
【０００１】
本発明は、異なる基地局からの信号の混信による誤りを防ぐ移動通信方法に関する。
【背景技術】
【０００２】
セルラー移動通信においては、利用者が移動することによって、或る基地局のセルから別の基地局のセルに利用者が移動するということが起きるので、利用者が或る基地局のセルから別の基地局のセルに移動しても通信が途切れないようにする必要がある。
利用者が移動しても通信が途切れないように、セルの端近くでは複数の基地局の受け持ち範囲が重なっていて、或る基地局から別の基地局に利用者を受け渡す「ハンドオーバー」といわれることが行われる。ハンドオーバーが行われる前後においては利用者には複数の基地局からの信号が到来することになる。セルラー移動通信の環境はほとんど常にマルチパス環境なので、ハンドオーバー時間帯には利用者には複数の基地局からの直接波と反射波が到来する。複数の基地局のうち「優越する基地局」と判定された基地局からの信号においても、直接波と反射波の全体が打ち消し合って或るサブキャリア周波数の信号がほとんど無くなる場合が有り得るが、このとき、「優越しない基地局」と判定された基地局からのその周波数のサブキャリアの信号は一般に０ではないので、このサブキャリア周波数においては「優越する基地局」からの信号が「優越しない基地局」からの信号に負けてしまって全く受信できなくなる。或るサブキャリア周波数信号が全く受信できなくなるという現象が制御信号に起きた場合は特に深刻な事態となり、通信の接続が途切れることも有り得る。この対策方法として、多数提案されているが、ハンドオーバーが行われる前後においては利用者には複数の基地局からの信号の混信による誤りを防ぐ方法としては不十分であった。例えば、最近多く利用されている公知例「適応アレーアンテナ 」方式の特許「符号分割多元接続（ＣＤＭＡ；Ｃｏｄｅ Ｄｉｖｉｓｉｏｎ Ｍｕｌｔｉｐｌｅ Ａｃｃｅｓｓ）方式の無線通信システムに用いて好適な移動局、通信制御方法 」などがある。本公知例は、移動局に複数のアンテナ素子を有する適応アレーアンテナシステムを備え、ＭＭＳＥ（最小２乗誤差法）などを用いた受信波適応処理を行い、指向性パターンを形成して無線基地局からの無線信号を受信するものがあると知られている。その適応アレーアンテナシステムにより、所望波の到来方向に受信ビームパターンを形成し、且つ他基地局などからの干渉波の到来方向にはヌルを形成し抑圧することで通信品質の改善が図られている。また、予め移動局の位置に対応した指向性パターンのデータをデータベース化し、そのデータを用いて指向性パターンを形成することにより、受信波適応処理による電波伝搬経路の算出を省略するものもある（例えば、特開平８−１３９６５７号公報、特開平１３−９４４９６号公報参照）。これにより、移動局が移動した場合に、アンテナの指向性が追従性よく速やかに制御される。しかし、「適応アレーアンテナ 」方式は予めデータベース化された指向性パターンのデータを使用するので、構造が簡単でなく、刻々と変化する移動局の周辺環境に対応することができないという問題がある。    
【発明の概要】
【発明が解決しようとする課題】
【０００３】
利用者に複数の基地局からの信号が到来している場合、複数の基地局からの信号の混信によって、情報の検出誤り率が増加し、特に制御情報の検出誤りは通信が途切れるなどの深刻な問題をひきおこす。
セルラー移動通信に多く用いられているＯＦＤＭ方式が用いられているセルラー移動通信においては、利用者に複数の基地局からの信号が到来している場合、同じ周波数または近い周波数の複数の基地局からのサブキャリア同士が干渉しあい情報の検出誤り率が増加する。  
ＯＦＤＭ通信方式においては、各サブキャリアに担われる信号は、ＢＰＳＫやＱＰＳＫや１６ＱＡＭや６４ＱＡＭや２５６ＱＡＭなどの振幅位相変調信号であり、各サブキャリアに担われる振幅位相変調信号のそれぞれのチップは振幅と位相に情報を担っている正弦波である。
マルチパス環境においては、正弦波信号は反射波の影響を受ける。例えば、直接波に直接波と同じ振幅の反射波が１波加わっている場合、直接波と反射波の伝播経路長の差と正弦波の周波数の相対的関係によって、直接波と反射波が強め合う場合と弱め合う場合がある。直接波と反射波の伝播経路長の差の等しい地点を地面上にプロットすると双曲線になるので、直接波と反射波が強め合う地点をプロットしても弱め合う地点をプロットしても双曲線になる。直接波と反射波が、振幅が等しく位相が反対の地点は最も弱め合う地点で、直接波と反射波が打ち消し合ってその周波数の信号が無くなる。直接波と反射波が打ち消し合って信号が無くなる地点をプロットすると双曲線となる。
反射波が複数有る場合はもっと複雑な様相を呈するが、反射波が複数有る場合においても各周波数において直接波と反射波の全体が打ち消し合って信号が無くなる地点は存在し得る。【０００４】
ＩＤＦＴ行列は、
【数１】
2017006979.tif 000003
-----------------------------------数式１と書ける。
伝送したい情報を長さＮの縦ベクトル
【数２】
2017006979.tif 000004
----------------------------------数式２とする。
ｂ０，ｂ1１，・・・・・・，ｂ(N-1)は、それぞれ６４ＱＡＭなどになっている。
本発明は、以上のような欠点を鑑み、解決しようとする課題として、異なる基地局からの信号の混信による誤りの増加を防ぐ通信方法に関する新しい方法を提供することにある。
【課題を解決するための手段】
【０００５】
上記の課題を解決するために、本発明では、伝送したい情報を複数のサブキャリアに分散させることを特徴とするＯＦＤＭ通信方法を与える。そのため、本発明では、伝送したい情報を複数のサブキャリアに分散させる手段を有するＯＦＤＭ通信方法であることができる。
上記の方法の１例として、本発明では、各送信機または送信機の組に、それぞれ異なる複数の正則行列を割りあてることを特徴とするＯＦＤＭ通信方法を与える。
本発明では、各送信機、または、送信機の組を有する各基地局に、それぞれ異なる単数または複数の正則行列を割り当てることを特徴とするセルラー移動通信方法を与える。
各基地局に割り当てる正則行列はアダマール行列、またはアダマール行列のスカラー倍が実用的である。【０００６】
本発明では、上述に記載のセルラー移動通信方法であって、伝送したい情報を担う縦ベクトルＢに逆ＤＦＴ行列「ＦＮ−１」を乗じて、乗じた結果をガードインターバルで強化して送信するＯＦＤＭ通信方法を用いるセルラー移動通信方法において、伝送したい情報を担う縦ベクトルＢに各基地局に割り当てられたそれぞれ異なる正則行列「Ａi」の逆行列「Ａi−１」を乗じて、「Ａi−１Ｂ」をＯＦＤＭ通信方法において、逆ＤＦＴ行列を乗じられるべき縦ベクトルＣとすることを特徴とするセルラー移動通信方法を与える。【０００７】
本発明は、上述に記載のセルラー移動通信方法であって、各基地局に割り当てられるそれぞれ異なる正則行列は、アダマール行列、または、アダマール行列のスカラー倍が実用的である。アダマール行列、または、アダマール行列のスカラー倍、および、それらの逆行列がバタフライを用いる高速計算できるタイプのアダマール行列が特に実用的である。【０００８】
本発明は、上述に記載のセルラー移動通信方法であって、ＭＩＭＯ―ＯＦＤＭ方式における各アンテナのためのＯＦＤＭ通信方法にも適用できる。【０００９】
本発明は、上述に記載のセルラー移動通信方法であって、各利用者は受信側のＯＦＤＭ復調出力に対して行列「Ａi」を用いて座標回転を施し、情報を担う縦ベクトルＢの推定値を得ることができる。【００１０】
本発明は、上述に記載のセルラー移動通信方法において、各基地局の送信側では、複数のパケットのための伝送したい情報を担う縦ベクトル、または、ＭＩＭＯ―ＯＦＤＭにおける複数のアンテナのための伝達したい情報を担う縦ベクトル、または、複数のパケットと複数のアンテナのための伝送したい情報を担う縦ベクトルをまとめて、ＩＤＦＴより大きい次数の「Ａi−１」に左から乗じても良い。大きい次数の「Ａi−１」を用いることにより、情報は複数の縦ベクトルに拡散され特定のサブキャリアの電波伝搬特性による劣化の影響を更に受けにくくすることができる。【００１１】
本発明は、上述に記載のセルラー移動通信方法であって、各利用者は受信側のＯＦＤＭ復調出力に対して行列「Ａi」を用いて座標回転することを特徴とする。【００１２】
本発明は、上述に記載のセルラー移動通信方法であって、ＯＦＤＭ方式（ＭＩＭＯ−ＯＦＤＭ方式を含む）が用いられている移動通信方法において、各基地局にはそれぞれ異なる正則行列を割り当て、利用者に複数の基地局からの信号が到来している場合の同じ周波数または近いサブキャリア同士の干渉による情報の検出誤り率の増加を防ぐために、ＯＦＤＭ方式における基地局送信側ＩＤＦＴへの入力信号に対して正則行列による座標軸の回転を施して、情報を１個のサブキャリアに偏在させるのではなくＯＦＤＭ信号全体に拡散させることにより、特定のサブキャリアの電波伝搬特性の劣化による情報検出誤り率の増加を防ぐことを、特徴とする。【００１３】
本発明は、ＯＦＤＭ通信方法において、送信機に単数または複数の正則行列を割り当てることを特徴とする。
本発明は、利用者の送信側において、ＯＦＤＭ方式における利用者の送信側ＩＤＦＴへの入力信号に対して、それぞれ異なる正則行列を割り当て、送信側のデータに対して、ＩＤＦＴへの入力信号に対して正則行列による座標軸の回転を施して、周波数変換し、必要に応じて基地局を経て無線送信し、利用者の受信側において、周波数変換し、正則行列による座標軸の回転を施して、データを得る移動通信方法とすることもできる。
【発明の効果】
【００１４】
ＯＦＤＭ方式（ＭＩＭＯ−ＯＦＤＭ方式を含む）が用いられているセルラー移動通信において、各基地局にはそれぞれ異なる正則行列を割り当てる。利用者に複数の基地局からの信号が到来している場合の同じ周波数または近いサブキャリア同士の干渉による情報の検出誤り率の増加を防ぐために、ＯＦＤＭ方式における基地局送信側ＩＤＦＴへの入力信号に対して正則行列による座標軸の回転を施して、情報を１個のサブキャリアに偏在させるのではなくＯＦＤＭ信号全体に拡散させることにより、特定のサブキャリアの電波伝搬特性の劣化による情報検出誤り率の増加を防ぐ効果がある。
【図面の簡単な説明】
【００１５】
【図１】従来技術と本発明における基地局ｉから送信されるデータが利用者に受信されて推定データとなる過程の比較。本発明では基地局送信側に「Ａi−１」が挿入され、利用者受信側に「Ａi」が挿入されている。
【発明を実施するための形態】
【００１６】
本発明は、セルラー移動通信における各基地局にそれぞれ異なる正則行列とその逆行列を割り当てることを特徴とする。
セルラー移動通信に多く用いられているＯＦＤＭ方式が用いられているセルラー移動通信においては、利用者に複数の基地局からの信号が到来している場合、同じ周波数または近い周波数のサブキャリア同士が干渉しあい情報の検出誤り率が増加する。
本発明では、複数の基地局にそれぞれの異なる正則行列（Ａ１，Ａ２，
Ａ３，・・・・・，Ａi,・・・）とその逆行列を割り当て、図１のように、送信側ではＢＰＳＫや６４ＱＡＭなどに設定した信号をＯＦＤＭ変調する前に、逆正則行列「Ａi−１」を用いて座標軸の回転をおこなう。こうすることにより、情報は１個のサブキャリアに偏在せず、ＯＦＤＭ信号全体に拡散される。受信側では、ＯＦＤＭ復調した信号を、正則行列「Ａi  」を用いて変換することにより、ＯＦＤＭ信号全体に拡散されていた情報をＢＰＳＫや６４ＱＡＭなどの信号に戻す。
【００１７】
従来方法では１個のサブキャリアに偏在していた情報を、本発明では、「Ａi−１」によってＯＦＤＭ信号全体に拡散することにより、他の基地局からの信号による干渉によってＳＮ比が劣化するサブキャリアが有っても、情報の検出誤り率の増加を減少させることができる。ＯＦＤＭ信号全体としてのＳＮ比を向上させなくても、情報をＯＦＤＭ信号全体に拡散することにより、他の基地局からの信号による干渉によってＳＮ比が劣化したサブキャリアに情報が偏在していないため、検出誤り率の増加を減少させるのである。
【００１８】
正則行列（Ａ１，Ａ２，Ａ３，・・・・・・Ａi,・・・・・）としては、アダマール行列、またはアダマール行列のスカラー倍を用いるのが、計算量および装置規模を小さくする意味で実用的である。
シルベスター型アダマール行列は、「バタフライ」を用いて高速計算が可能であるが、シルベスター型アダマール行列に、対角成分が「１」または「−１」である対角行列を左から乗じても、右から乗じても、両側から乗じても、高速計算可能なアダマール行列が得られる。
【００１９】
「Ａi−１」を用いて拡散するＢＰＳＫや６４ＱＡＭなどの信号は、複数のパケットにまたがっても良いし、ＭＩＭＯにおける複数のアンテナの信号にまたがっても良い。なるべく大きい行列を用いる方が本発明の効果が如実に現れる。
【００２０】
例えば、６４次ＩＤＦＴと６４次ＤＦＴを用いるＯＦＤＭの場合、６４次ＩＤＦＴに入力する６４個の信号に６４次のアダマール行列を乗じてまとめて、１２８次ＩＤＦＴ、２５６次ＩＤＦＴ、または５１２次ＩＤＦＴを用いて情報を拡散させる方が本発明の効果が如実に現れる。
【００２１】
また、例えば、４送信アンテナ―４受信アンテナのＭＩＭＯ方式で、用いるＩＤＦＴがそれぞれ６４次の場合、ＩＤＦＴに入力されるべき信号のそれぞれを６４次アダマール行列によって情報を拡散させても良いが、４送信アンテナの信号をまとめて、２５６次アダマール行列によって情報を拡散させる方が本発明の効果が如実に現れる。更に、２パケット、４パケットをまとめて５１２次、１０２４次アダマール行列によって情報を拡散させれば、本発明の効果が更に如実に現れる。
【００２２】
いま、基地局１に正規化されたアダマール行列「（１／√Ｎ）Ｈ１」と、その逆行列（√Ｎ）Ｈ１−１」が割り当てられていて、基地局２に正規化されたアダマール行列「（１／√Ｎ）Ｈ２」と、その逆行列「（√Ｎ）Ｈ２−１」が割り当てられているとする。ただし、Ｎはアダマール行列の次数でＨ１とＨ２は互いに異なるアダマール行列である。
【００２３】
ここで、利用者１が基地局１と基地局２アダマール行列からほぼ等距離の地点に居て、基地局１と基地局２の両方が利用者１に信号を送信するものとする。いま、基地局１が利用者１に送りたい情報を担う縦ベクトルＢ１  とする。Ｂ１  は長さＮの縦ベクトルで、ベクトルの各成分は６４ＱＡＭで情報を担っているものとする。
通常のＯＦＤＭ方式では、Ｎ次ＩＤＦＴを「ＦＮ−１」として「ＦＮ−１Ｂ１」をガードインターバルで強化して送信信号とするが、本発明では「ＦＮ−１（√Ｎ）Ｈ１−１Ｂ１」をガードインターバルで強化して送信信号とする。
【００２４】
基地局１が利用者１に送りたい情報を担う縦ベクトルを
Ｂ１＝ｔ［ｂ１１，ｂ１２，ｂ１３，・・・，ｂ１Ｋ，・・・，ｂ１Ｎ］
とする。
但しｔ［    ］は行列の転置を表し、横ベクトルは縦ベクトルになる。
通常のＯＦＤＭ方式で送信信号となる「ＦＮ−１Ｂ１」は、「ＮＮ−１」の各列を縦ベクトル（fＮ，０，fＮ，１，fＮ，２，・・・，fＮ，（Ｋ−１），・・・，fＮ，（Ｎ−１））とすると
ＦＮ−１＝［fＮ，０，fＮ，１，fＮ，２，・・・・，fＮ，（Ｋ−１），・・・，fＮ，（Ｎ−１）］となるので、
ＦＮ−１Ｂ１＝［fＮ，０，fＮ，１，fＮ，２，・・・，fＮ，（Ｋ−１），・・・，fＮ，（Ｎ−１）］・ｔ［ｂ１１，ｂ１２，ｂ１３，・・・，ｂ１Ｋ，・・・，ｂ１Ｎ］
＝（ｂ１１fＮ，０＋ｂ１２fＮ，１＋ｂ１３fＮ，２＋・・・＋ｂ１ＫfＮ，（Ｎ−１）＋
・・・・・・＋ｂ１ＮfＮ，（Ｎ−１））  となる。
（fＮ，０，fＮ，１，fＮ，２，・・・，fＮ，（Ｋ−１），・・・，fＮ，（Ｎ−１））はそれぞれ異なる周波数の正弦波となるので、（ｂ１１，ｂ１２，ｂ１３，・・・，ｂ１Ｋ，・・・，ｂ１Ｎ）をそれぞれ異なる周波数のサブキャリアに乗じて送信することになる。
（ｂ１１，ｂ１２，ｂ１３，・・・，ｂ１ｋ，・・・，ｂ１Ｎ）は、それぞれ異なる周波数の正弦波（サブキャリア）に担われているので、反射波の影響によってあるサブキャリアの電波伝搬特性が弱まったときには擾乱の影響を受けやすくなる。
【００２５】
一方基地局２で利用者１に送りたい情報を担う縦ベクトルを
Ｂ２＝ｔ［ｂ２１，ｂ２２，ｂ２３，・・・，ｂ２ｋ，・・・，ｂ２Ｎ］
とすると、ｂ１ｋ  、とｂ２ｋ  は同じ周波数のサブキャリアに担われているので、「fＮ，（Ｋ−１）」の電波伝搬特性が基地局１と利用者１の間では弱まっていて、基地局２と利用者１の間では弱まっていない場合、ｂ１ｋ  に誤りが発生しやすくなる。
【００２６】
本発明では、縦ベクトルＢ１  にＦＮ−１を乗ずる前に「（√Ｎ）Ｘ１−１」を乗じて座標軸の回転を行って、Ｃi＝√(Ｎ) Ｈ１−１Ｂ1  として、Ｃ1にＦＮ−１を左から乗じ、ｂ１ｋが特定のサブキャリアに担わされるのでなく、すべてのサブキャリアに分布して担わされるようにするので、特定のサブキャリアの電波伝搬特性が弱まることによる影響による情報伝送誤りが起きにくくなる。
よって、本発明では、複数の基地局からの信号が混信しても、情報の検出誤り率がほとんど増加せず、複数の基地局からの信号の受信電力がほぼ同じ位のときでも、複数の基地局からの情報をそれぞれ検出誤り率がほとんど増加せずに検出出来るようにする方法を与える。
【００２７】
本発明では、個別の利用者から、別の利用者の受信側に移動無線通信する場合において、図１に示すように、同様に、「利用者のデータを送信側から、送信側において本発明の方法を行い、無線送信し、利用者の受信側において本発明の方法を行うとした利用者のデータを得る移動通信方法。」としても本発明による基本的な方法としての作用効果を得ることは可能である。
【００２８】
利用者の送信側において、ＯＦＤＭ方式における利用者の送信側ＩＤＦＴへの入力信号に対して、それぞれ異なる正則行列を割り当て、送信側のデータからの情報に対して、ＩＤＦＴへの入力信号に対して正則行列による座標軸の回転を施して、周波数変換し、基地局を経て無線送信し、利用者の受信側において、周波数変換し、正則行列による座標軸の回転を施して、情報として、データを得る移動通信方法とすることができる。
本発明は、全てのＯＦＤＭ通信方法に対して用いることができる。
【００２９】
ＩＤＦＴ行列は、
【数１】
2017006979.tif 000005
-----------------------------------------数式１と書ける。
伝送したい情報を長さＮの縦ベクトル
【数２】
2017006979.tif 000006
----------------------------------------数式２とする。
ｂ0,ｂ1,ｂ2，・・・・・，ｂ(N-1)  は、それぞれ６４ＱＡＭなどになっている。
ＯＦＤＭでは、
【数３】
2017006979.tif 000007
--------------------------------------数式３となり、
ｂ0,ｂ1,ｂ2，・・・・・，ｂ(N-1)  は、それぞれ異なる周波数のサブキャリアに偏在して担われる。
本発明ではＮ次アダマール行列（正規化したもの）を
【数４】
2017006979.tif 000008
-------------------------------------数式４として、
【数５】
2017006979.tif 000009
-----------------------------------数式５とする。
右側の縦ベクトルの各成分は、ｂ0,ｂ1,ｂ2，・・・・・，ｂ(N-1)  を均等に含んでいるので、ｂ0,ｂ1,ｂ2，・・・・・，ｂ(N-1)  は（それぞれ異なる周波数の）サブキャリアに均等に分散して担われる。
【産業上の利用可能性】
【００３０】
本発明の適用分野はセルラー移動無線通信、物対物の無線通信（ＩｏＴ）、デジタル放送など、移動体無線通信に用いることができる。
【図１】
2017006979.tif 000010
【国際調査報告】
2017006979.tif 000011
2017006979.tif 000012
2017006979.tif 000013
2017006979.tif 000014